(57)【要約】【課題】着用可能品および他の物品用の電気的連結体を提供する。【解決手段】本発明は、衣類または物品内の１つの位置から衣類または物品上の別の位置まで、２つの位置を架橋する縫製可能な基板の長さに沿って印刷された電気導体を使用することによって電気信号または電力を伝達できるようにする、着用可能な衣類および他の物品内の電気的連結体に関する。【選択図】図１
2018090946.tif 000002
【特許請求の範囲】
【請求項１】
着用可能な衣類の内側の電気導体から前記衣類の外側の指定された位置までの電気的連結体であって、
縫製可能な架橋基板の長さに沿って印刷された電気導体であって、前記縫製可能な架橋基板の一方の端部は、前記縫製可能な架橋基板の前記端部における前記印刷導体が前記衣類の内側の前記電気導体と接触するように配置されており、非導電性糸による１つ以上の縫い目は、前記縫製可能な架橋基板を通して縫われ、各縫い目は、前記２つの電気導体の接触している部分を取り囲み、それにより、前記２つの導体間に電気的な接続を形成するために必要な押圧をもたらし、前記縫製可能な架橋基板の他方の端部は、前記指定された位置に配置されている、前記電気導体
を備えたことを特徴とする電気的連結体。
【請求項２】
前記指定された位置における前記縫製可能な架橋基板の前記端部は、前記縫製可能な架橋基板が前記指定された位置に接近するときに前記衣類の前記外側と重なり合うように、前記指定された位置へのアクセスを提供する前記衣類の開口部に通されていることを特徴とする請求項１に記載の電気的連結体。
【請求項３】
前記指定された位置における前記縫製可能な架橋基板の前記端部は、前記縫製可能な架橋基板が前記指定された位置に接近するときに前記衣類の前記外側と重なり合うように、前記指定された位置へのアクセスを提供する前記衣類のシームに通されていることを特徴とする請求項１に記載の電気的連結体。
【請求項４】
前記指定された位置における前記縫製可能な架橋基板の前記端部は、前記縫製可能な架橋基板が前記指定された位置に接近するときに前記衣類の前記外側と重なり合うように、前記衣類の縁の周囲で折り畳まれていることを特徴とする請求項１に記載の電気的連結体。
【請求項５】
前記衣類の内側の前記電気導体はワイヤーであることを特徴とする請求項１に記載の電気的連結体。
【請求項６】
前記衣類の内側の前記電気導体は、縫製可能な基板に印刷された電気導体であり、および前記１つ以上の縫い目は、両方の縫製可能な基板を通して縫われていることを特徴とする請求項１に記載の電気的連結体。
【請求項７】
前記指定された位置は、前記衣類のポケット内または前記衣類のフラップもしくは折り畳みフラップ内にあることを特徴とする請求項１に記載の電気的連結体。
【請求項８】
前記縫製可能な架橋基板は、熱可塑性ウレタンを含み、前記縫製可能な架橋基板の前記長さに沿って印刷された前記電気導体は、ポリマー厚膜銀導体組成物から形成されていることを特徴とする請求項１に記載の電気的連結体。
【請求項９】
前記印刷された電気導体を備える前記縫製可能な架橋基板は、２つ以上の別個の縫製可能な基板要素からなり、それぞれがその長さに沿って印刷された電導体を備え、、隣接する基板要素の前記印刷導体は接触して配置されており、および前記２つ以上の基板要素上の前記印刷された電気導体の前記電気的な接続は、
ａ）非導電性糸による縫い目であって、各縫い目は、前記隣接する縫製可能な基板を通して縫われ、接触している導体の各対は、少なくとも１つの縫い目によって取り囲まれ、それにより、各対の電気的な接続を形成するために必要な前記押圧をもたらす、非導電性糸による縫い目；または
ｂ）２つの隣接する基板要素のラミネーション；または
ｃ）前記２つの隣接する基板要素を一緒に押圧する締結具
によって達成されることを特徴とする請求項１に記載の電気的連結体。
【請求項１０】
物品上の第１の位置から前記物品上の第２の位置までの電気的連結体であって、
縫製可能な架橋基板の長さに沿って印刷された電気導体であって、前記縫製可能な架橋基板の一方の端部は、前記縫製可能な架橋基板の前記端部における前記印刷導体が前記第１の位置において電気導体と接触するように配置されており、非導電性糸による１つ以上の縫い目は、前記縫製可能な架橋基板を通して縫われ、各縫い目は、前記２つの電気導体の接触している部分を取り囲み、それにより、前記２つの導体間に電気的な接続を形成するために必要な押圧をもたらし、前記縫製可能な架橋基板の他方の端部は前記第２の位置に配置されている、前記電気導体
を備えたことを特徴とする電気的連結体。
【発明の詳細な説明】
【技術分野】
【０００１】
本発明は、衣類の一部分から別の部分へ電気信号を伝達できるようにする、着用可能な衣類および他の物品内の電気的連結体に関する。
【背景技術】
【０００２】
着用可能な衣類に電気回路を組み込んで、着用者の生理的側面を監視することへの関心が高まっている。そのような測定の例は、心拍数、心電図記録、皮膚または核心温度、および体液のパラメータを含む。これらの電気回路はまた、快適性を高めるために、加熱器などの機器に給電するためのエネルギーを追加するか、または含まれている機器に情報を追加するのに有用である。これらの電気回路はまた、物品、例えば、寝袋およびブランケットに有用であり、伸縮可能な回路を必要とする。着用可能な衣類および他の物品での回路の追加的な使用例も考えられる。着用可能な衣類または物品の一部分から別の部分へ電気信号を伝達する方法も必要とされており、したがって、衣類または物品の異なる部分間を電気的に接続することが必要とされている。これらの接続は、衣類または物品が伸縮したり、複数回の洗濯および乾燥サイクルに曝されたりするときに維持される必要がある。
【発明の概要】
【課題を解決するための手段】
【０００３】
本発明は、衣類または物品の異なる位置から電気信号または電力を伝達できるようにする、着用可能な衣類および他の物品内の電気的連結体を提供する。
【０００４】
本発明は、着用可能な衣類の内側の電気導体から衣類の外側の指定された位置までの電気的連結体を提供し、連結体は、
縫製可能な架橋基板の長さに沿って印刷された電気導体であって、縫製可能な架橋基板の一方の端部は、縫製可能な架橋基板のその端部における印刷導体が衣類の内側の電気導体と接触するように配置されており、非導電性糸による１つ以上の縫い目は、縫製可能な架橋基板を通して縫われ、各縫い目は、２つの電気導体の接触している部分を取り囲み、それにより、２つの導体間に電気的な接続を形成するために必要な押圧をもたらし、縫製可能な架橋基板の他方の端部は、指定された位置に配置されている、電気導体
を含む。
【０００５】
そのような１つの実施形態では、指定された位置における縫製可能な架橋基板の端部は、縫製可能な架橋基板が指定された位置に接近するときに衣類の外側と重なり合うように、指定された位置へのアクセスを提供する衣類の開口部に通されている。
【０００６】
別のそのような実施形態では、指定された位置における縫製可能な架橋基板の端部は、縫製可能な架橋基板が指定された位置に接近するときに衣類の外側と重なり合うように、指定された位置へのアクセスを提供する衣類のシームに通されている。
【０００７】
さらに別のそのような実施形態では、指定された位置における縫製可能な架橋基板の端部は、縫製可能な架橋基板が指定された位置に接近するときに衣類の外側と重なり合うように、衣類の縁、すなわち、袖もしくは襟の端部または衣類の最上部もしくは最下部の周囲で折り畳まれている。
【０００８】
上述の実施形態のいずれかでは、衣類の内側の電気導体はワイヤーである。
【０００９】
上述の実施形態のいずれかでは、衣類の内側の電気導体は、縫製可能な基板に印刷された電気導体であり、および１つ以上の縫い目は、両方の縫製可能な基板を通して縫われている。
【００１０】
本発明はまた、物品上の第１の位置から物品上の第２の位置までの電気的連結体を提供する。
【図面の簡単な説明】
【００１１】
【図１】衣類の内側の電気導体から衣類の外側のポケット内における指定された位置までの電気的連結体を示し、その長さに沿って印刷された電気導体を備える縫製可能な架橋基板は、衣類の内側の導体と接触している一方の端部および指定された位置における他方の端部を有し、および縫製可能な架橋基板は、衣類の開口部を通って衣類の外側のポケット内における指定された位置まで通過している。
【図２】衣類の内側の電気導体から衣類の外側のポケット内における指定された位置までの電気的連結体を示し、その長さに沿って印刷された電気導体を備える縫製可能な架橋基板は、衣類の内側の導体と接触している一方の端部および指定された位置における他方の端部を有し、および縫製可能な架橋基板は、衣類の開口部を通って衣類の外側のフラップ内における指定された位置まで通過している。
【図３】衣類の内側の電気導体から衣類の外側のポケット内における指定された位置までの電気的連結体を示し、その長さに沿って印刷された電気導体を備える縫製可能な架橋基板は、衣類の内側の導体と接触している一方の端部および指定された位置における他方の端部を有し、および縫製可能な架橋基板は、衣類の開口部を通って衣類の外側の折り畳みフラップ内における指定された位置まで通過している。
【発明を実施するための形態】
【００１２】
本発明は、衣類または物品の一部分から別の部分へ電気信号または電力を伝達できるようにする、着用可能な衣類または他の物品内の電気的連結体に関する。
【００１３】
本発明は、着用可能な衣類の内側の電気導体から衣類の外側の指定された位置までの電気的連結体を提供し、連結体は、縫製可能な架橋基板の長さに沿って印刷された電気導体を含み、縫製可能な架橋基板の一方の端部は、縫製可能な架橋基板のその端部における印刷導体が衣類の内側の電気導体と接触するように配置されており、非導電性糸による１つ以上の縫い目は、縫製可能な架橋基板を通して縫われており、各縫い目は、２つの電気導体の接触している部分を取り囲み、それにより、２つの導体間に電気的な接続を形成するために必要な押圧をもたらし、縫製可能な架橋基板の他方の端部は、指定された位置に配置されている。いくつかの実施形態では、指定された位置は、衣類のポケット内または衣類のフラップもしくは折り畳みフラップ内にある。これらの実施形態では、衣類は単層または多層の衣類とすることができる。いくつかの実施形態では、衣類の内側の電気導体はワイヤーであってよい。他の実施形態では、衣類の内側の電気導体は、縫製可能な基板に印刷された電気導体であり、および１つ以上の縫い目は、両方の縫製可能な基板を通して縫われている。
【００１４】
本明細書では、「架橋基板」は、その長さに沿って電気導体が印刷されている基板を指し、基板は、位置１と位置２との間または衣類の内側の電気導体と衣類の外側の指定された位置との間の間隙を架橋する。
【００１５】
本明細書では、「フラップ」は、衣類の外側に取り付けられる、突出しているかまたは垂れ下がっている部片を指す。フラップは折り畳まれて「折り畳みフラップ」を形成してよく、これは、指定された位置およびそこへの任意の取付部品のための囲いをもたらす。
【００１６】
本明細書では、「着用可能な衣類」または「着用可能品」は、人に着用される任意の物品を指し、シャツ、セーター、コートまたはジャケット、スラックスの対、ソックス、および履物を含む。
【００１７】
本明細書では、「ラミネーション」は、２つの層を一緒に結合することを指す。これは、複数の層を加熱して圧縮する典型的なプロセスによってだけでなく、接着剤またはのり付けを使用するなどの他の手段によっても実現することができる。
【００１８】
上述の実施形態のいくつかについて図面を参照して説明する。
【００１９】
図１は、衣類の内側の電気導体から衣類の外側のポケット内における指定された位置までの電気的連結体を示し、その長さに沿って印刷された電気導体を備える縫製可能な架橋基板は、衣類の内側の電気導体に一方の端部および指定された位置に他方の端部を有し、および縫製可能な架橋基板は、衣類の開口部を通って衣類の外側のポケット内における指定された位置まで通過している。衣類１は、ポケット２と、衣類の開口部３とを有する。衣類の内側には第１の位置４があり、および衣類の外側のポケット２内には指定された位置５がある。その長さに沿って電気導体７が印刷されている縫製可能な架橋基板６は、第１の位置４で始まり、開口部３を通り、および衣類の外側のポケット２内における指定された位置５で終端していることが示されている。
【００２０】
図２は、衣類の内側の電気導体から衣類の外側のフラップ内における指定された位置までの電気的連結体を示し、その長さに沿って印刷された電気導体を備える縫製可能な架橋基板は、衣類の内側の電気導体に一方の端部および指定された位置に他方の端部を有し、および縫製可能な架橋基板は、衣類の開口部を通って衣類の外側のフラップ内における指定された位置まで通過している。衣類１は、フラップ２と、衣類の開口部３とを有する。衣類の内側には第１の位置４があり、および衣類の外側のフラップ２内には指定された位置５がある。その長さに沿って電気導体７が印刷されている縫製可能な架橋基板６は、第１の位置４で始まり、開口部３を通り、および衣類の外側のフラップ２内における指定された位置５で終端することが示されている。
【００２１】
図３は、衣類の内側の電気導体から衣類の外側の折り畳みフラップ内における指定された位置までの電気的連結体を示し、その長さに沿って印刷された電気導体を備える縫製可能な架橋基板は、衣類の内側の電気導体に一方の端部および指定された位置に他方の端部を有し、および縫製可能な架橋基板は、衣類の開口部を通って衣類の外側の折り畳みフラップ内における指定された位置まで通過している。衣類１は、折り畳みフラップ２と、衣類の開口部３とを有する。衣類の内側には第１の位置４があり、および衣類の外側の折り畳みフラップ２内には指定された位置５がある。その長さに沿って電気導体７が印刷されている縫製可能な架橋基板６は、第１の位置４で始まり、開口部３を通り、および衣類の外側の折り畳みフラップ２内における指定された位置５で終端することが示されている。
【００２２】
架橋基板６がシームを通っている実施形態は、図１、図２および図３に示す実施形態と同様であり、シームが開口部３に取って代わった状態である。
【００２３】
図１に示すように、架橋基板６は、衣類の内側および外側の両方で衣類１に隣接しており、かつ電気導体７は露出しており、衣類の内側の第１の位置４および衣類の外側の指定された位置５における接続を好都合にする。架橋基板を逆向きにして、電気導体７が衣類の内側および外側の両方で衣類１に隣接するようにし、それにより、電気導体７を摩耗から保護することもできる。印刷された電気導体を備える架橋基板が、２つの別個の基板要素からなり、それぞれがその長さに沿って印刷された電気導体を備えた実施形態では、２つの基板は、架橋基板６が衣類の一方の側面で衣類１に隣接しおよび電気導体７が他方の側面で衣類に隣接するように、配置することができる。２つの別個の基板要素の同様の逆向き構成または組み合わせ構成が、図２および図３に示すような実施形態を含む全ての実施形態に適用可能である。
【００２４】
上述の実施形態のいずれかでは、架橋基板は、熱可塑性または熱硬化性フィルムを含んでよい。典型的な基板の例は、熱可塑性ウレタン（ＴＰＵ）、例えばＢｅｍｉｓ  Ａｓｓｏｃｉａｔｅｓ，Ｉｎｃ．（Ｓｈｉｒｌｅｙ、ＭＡ）から入手可能なＢｅｍｉｓ  ＳＴ−６０４、熱可塑性ポリエステル、例えばＤｕＰｏｎｔ  Ｃｏ．（Ｗｉｌｍｉｎｇｔｏｎ、ＤＥ）から入手可能なＤｕＰｏｎｔ（商標）Ｈｙｔｒｅｌ（登録商標）、熱可塑性ポリエチレンテレフタレート（ＰＥＴ）およびＤｕＰｏｎｔ  Ｃｏ．（Ｗｉｌｍｉｎｇｔｏｎ、ＤＥ）から入手可能なＤｕＰｏｎｔ（商標）Ｋａｐｔｏｎ（登録商標）ポリイミドである。
【００２５】
上述の実施形態のいずれかでは、縫製可能な架橋基板の長さに沿って印刷された電気導体は、ポリマー厚膜導体組成物から形成してよい。
【００２６】
上述の実施形態のいずれかでは、縫製可能な架橋基板の長さに沿って印刷された電気導体は、ポリマー厚膜銀組成物から形成してよい。
【００２７】
上述の実施形態のいずれかでは、電気的連結体は、縫製可能な架橋基板の長さに沿って印刷された１つ以上の追加的な電気導体をさらに含んでよい。
【００２８】
上述の実施形態のいずれかでは、印刷された電気導体を備える縫製可能な架橋基板は、２つ以上の別個の縫製可能な基板要素からなってもよく、それぞれがその長さに沿って印刷された電気導体を備え、隣接する縫製可能な基板要素の印刷導体は接触して配置されており、および２つ以上の基板要素上における印刷された電気導体の電気的な接続は、
ａ）非導電性糸による縫い目であって、各縫い目は、隣接する縫製可能な基板を通して縫われ、接触している導体の各対は、少なくとも１つの縫い目によって取り囲まれ、それにより、各対の電気的な接続を形成するために必要な押圧をもたらす、非導電性糸による縫い目；または
ｂ）２つの隣接する基板要素のラミネーション；または
ｃ）２つの隣接する基板要素を一緒に押圧する締結具
によって達成される。
【符号の説明】
【００２９】
１  衣類
２  ポケット
３  開口部
４  第１の位置
５  第２の位置
６  縫製可能な架橋基板
７  電気導体
【図１】
2018090946.tif 000003
【図２】
2018090946.tif 000004
【図３】
2018090946.tif 000005
【外国語明細書】
2018090946000001.pdf